(57)【要約】【課題】映像・音声における品質劣化を低減するエラー隠蔽機能を具備したデジタル放送受信機を提供する。【解決手段】番組１受信部１０２、番組２受信部１１２、番組情報比較部１２１を設け、少なくとも２つの同一コンテンツ内容の番組を受信する。番組１、番組２双方を復号し、番組１映像復号部１０４、又は番組１音声復号部１０５のエラー検知時に番組２映像復号部１１４、又は番組２音声復号部１１５の情報を利用することにより、映像・音声の空間的、又は時間的相関にかかわらずエラー隠蔽を行うことができる。また、エラー隠蔽は最小ではブロック単位で行うことができるため急激な品質劣化を防ぐことができる。【選択図】図１
2011239051.tif 000002
【特許請求の範囲】
【請求項１】
複数の番組が多重化された多重化信号から、設定された番組の映像音声信号を復元するデジタル放送受信機であって、
デジタル放送波から、少なくとも２つの番組について番組制御情報を抽出し、前記番組制御情報に基づいて圧縮映像音声信号を出力する受信部と、
前記受信部から出力された前記圧縮映像音声信号を、前記番組制御情報に基づいて圧縮映像信号と圧縮音声信号に分離する分離部と、
前記分離部から出力された前記圧縮映像信号から映像制御情報を抽出し、前記映像制御情報に基づいて映像信号に復号する映像復号部と、
前記分離部から出力された前記圧縮音声信号から音声制御情報を抽出し、前記音声制御情報に基づいて音声信号に復号する音声復号部と、
少なくとも２つの前記番組制御情報から、番組内容を比較する比較部と、
一方の前記前記映像制御情報を他方の前記映像制御情報から取得する映像制御情報取得手段と、
一方の前記音声制御情報を他方の前記音声制御情報から取得する音声制御情報取得手段とを備えたことを特徴とするデジタル放送受信機。
【請求項２】
複数の番組が多重化された多重化信号から、設定された番組の映像音声信号を復元するデジタル放送受信機であって、
デジタル放送波から、少なくとも２つの番組について番組制御情報を抽出し、前記番組制御情報に基づいて圧縮映像音声信号を出力する受信部と、
前記受信部から出力された前記圧縮映像音声信号を、前記番組制御情報に基づいて圧縮映像信号と圧縮音声信号に分離する分離部と、
前記分離部から出力された前記圧縮映像信号から映像制御情報を抽出し、前記映像制御情報に基づいて映像信号に復号する映像復号部と、
前記分離部から出力された前記圧縮音声信号から音声制御情報を抽出し、前記音声制御情報に基づいて音声信号に復号する音声復号部と、
少なくとも２つの前記番組制御情報から、番組内容を比較する比較部と、
一方の前記映像信号を他方の前記映像信号から取得する映像信号取得手段と、
一方の前記音声信号を他方の前記音声信号から取得する音声信号取得手段とを備えたことを特徴とするデジタル放送受信機。
【請求項３】
前記映像復号部、又は前記音声復号部に、エラーを検知するエラー検知部を備え、
エラー検知した場合に前記映像制御情報取得手段、又は前記音声制御情報取得手段を用いることを特徴とする請求項１記載のデジタル放送受信機。
【請求項４】
前記映像復号部、又は前記音声復号部に、エラーを検知するエラー検知部を備え、
エラー検知した場合に前記映像信号取得手段、又は前記音声信号取得手段を用いることを特徴とする請求項２記載のデジタル放送受信機。
【請求項５】
前記受信部にて受信する番組は、同一内容の１２セグ放送とワンセグ放送であることを特徴とする請求項１又は請求項２記載のデジタル放送受信機。
【請求項６】
前記受信部にて受信する番組は、同一内容の高精細度放送と標準解像度放送であることを特徴とする請求項１又は請求項２記載のデジタル放送受信機。
【請求項７】
前記映像制御情報取得手段、又は前記音声制御情報取得手段は、解像度、又はフレームレート、又はチャンネル数の情報により数値変換することを特徴とする請求項１記載のデジタル放送受信機。
【請求項８】
前記映像信号取得手段、又は前記音声信号取得手段は、解像度、又はフレームレート、又はチャンネル数の情報により数値変換することを特徴とする請求項２記載のデジタル放送受信機。
【発明の詳細な説明】
【技術分野】
【０００１】
本発明は、映像・音声における品質劣化を低減するエラー隠蔽機能を具備したデジタル放送受信機に関するものである。
【背景技術】
【０００２】
近年、世界各国で映像・音声などの放送メディアのデジタル化が進んでいる。さらに、視聴用途や放送形式などにより、映像・音声の品質は多種になっている。例えば、放送局から発信される地上デジタル放送波は、図３に示すように、１つのチャンネルが周波数方向に１３個のセグメントに分割されており、この周波数のうち１２のセグメントを利用した１２セグ放送（１２セグメント放送）と、１のセグメントを利用したワンセグ放送（１セグメント放送）とがそれぞれ番組情報を構成し、発信されている。
【０００３】
また、映像符号化方式Ｈ．２６４規格を用いた高精細度放送（Ｈｉｇｈ  Ｄｅｆｉｎｉｔｉｏｎ放送）と、映像符号化方式ＭＰＥＧ−２規格を用いた標準解像度放送（Ｓｔａｎｄａｒｄ  Ｄｅｆｉｎｉｔｉｏｎ放送）を同時に発信している国も存在する。
【０００４】
ところで、放送受信状態の悪化や、放送信号に誤りが含まれる場合、デジタル放送でのエラー隠蔽は、映像・音声の空間的、又は時間的相関を利用する方法が知られている（例えば、特許文献１参照）。
【０００５】
また、映像・音声の空間的、又は時間的相関にかかわらずエラー隠蔽する方法として、１２セグ放送復号部とワンセグ放送復号部とを設け、受信状態によって適切な放送を選択し出力する方法が示されている（例えば、特許文献２参照）。
【先行技術文献】
【特許文献】
【０００６】
【特許文献１】特開２００６−１９６９７０号公報
【特許文献２】特開２００７−３２５０６１号公報
【発明の概要】
【発明が解決しようとする課題】
【０００７】
しかし、特許文献１における従来のエラー隠蔽方法では、映像・音声の空間的、又は時間的相関がない場合には適切な処理が行われず、映像・音声が乱れるという問題があった。
【０００８】
また、特許文献２における従来のエラー隠蔽方法では、１２セグ放送とワンセグ放送とが切り替わるとき、映像・音声の品質が急激に変化するため、ユーザに不快感を与えるという問題があった。
【０００９】
従って、従来のデジタル放送受信機は、映像・音声の空間的、又は時間的相関がない場合に、映像・音声が乱れるという課題と、高品質放送と低品質放送とが切り替わるとき、ユーザに不快感を与えるという課題があった。
【００１０】
この発明は、上記のような課題を解決するためになされたものであり、映像・音声の空間的、又は時間的相関にかかわらず、ユーザに品質劣化による不快感を与えないデジタル放送受信機を提供することを目的とする。
【課題を解決するための手段】
【００１１】
本発明の第１の態様は、複数の番組が多重化された多重化信号から、設定された番組の映像音声信号を復元するデジタル放送受信機であって、デジタル放送波から、少なくとも２つの番組について番組制御情報を抽出し、前記番組制御情報に基づいて圧縮映像音声信号を出力する受信部と、前記受信部から出力された前記圧縮映像音声信号を、前記番組制御情報に基づいて圧縮映像信号と圧縮音声信号に分離する分離部と、前記分離部から出力された前記圧縮映像信号から映像制御情報を抽出し、前記映像制御情報に基づいて映像信号に復号する映像復号部と、前記分離部から出力された前記圧縮音声信号から音声制御情報を抽出し、前記音声制御情報に基づいて音声信号に復号する音声復号部と、少なくとも２つの前記番組制御情報から、番組内容を比較する比較部と、一方の前記前記映像制御情報を他方の前記映像制御情報から取得する映像制御情報取得手段と、一方の前記音声制御情報を他方の前記音声制御情報から取得する音声制御情報取得手段と、を備えたことを特徴とする。
【００１２】
本発明の第２の態様は、複数の番組が多重化された多重化信号から、設定された番組の映像音声信号を復元するデジタル放送受信機であって、デジタル放送波から、少なくとも２つの番組について番組制御情報を抽出し、前記番組制御情報に基づいて圧縮映像音声信号を出力する受信部と、前記受信部から出力された前記圧縮映像音声信号を、前記番組制御情報に基づいて圧縮映像信号と圧縮音声信号に分離する分離部と、前記分離部から出力された前記圧縮映像信号から映像制御情報を抽出し、前記映像制御情報に基づいて映像信号に復号する映像復号部と、前記分離部から出力された前記圧縮音声信号から音声制御情報を抽出し、前記音声制御情報に基づいて音声信号に復号する音声復号部と、少なくとも２つの前記番組制御情報から、番組内容を比較する比較部と、一方の前記映像信号を他方の前記映像信号から取得する映像信号取得手段と、一方の前記音声信号を他方の前記音声信号から取得する音声信号取得手段と、を備えたことを特徴とする。
【００１３】
本発明の第３の態様は、第１の態様において、前記映像復号部、又は前記音声復号部に、エラーを検知するエラー検知部を備え、エラー検知した場合に前記映像制御情報取得手段、又は前記音声制御情報取得手段を用いることを特徴とする。
【００１４】
本発明の第４の態様は、第２の態様において、前記映像復号部、又は前記音声復号部に、エラーを検知するエラー検知部を備え、エラー検知した場合に前記映像信号取得手段、又は前記音声信号取得手段を用いることを特徴とする。
【００１５】
本発明の第５の態様は、第１の態様、又は第２の態様において、前記受信部にて受信する番組は、同一内容の１２セグ放送とワンセグ放送であることを特徴とする。
【００１６】
本発明の第６の態様は、第１の態様、又は第２の態様において、前記受信部にて受信する番組は、同一内容の高精細度放送と標準解像度放送であることを特徴とする。
【００１７】
本発明の第７の態様は、第１の態様において、前記映像制御情報取得手段、又は前記音声制御情報取得手段は、解像度、又はフレームレート、又はチャンネル数の情報により数値変換することを特徴とする。
【００１８】
本発明の第８の態様は、第２の態様において、前記映像信号取得手段、又は前記音声信号取得手段は、解像度、又はフレームレート、又はチャンネル数の情報により数値変換することを特徴とする。
【発明の効果】
【００１９】
この発明のデジタル放送受信機によれば、少なくとも２つの同一内容の番組を復号し、一方の映像、又は音声のエラー検知時に他方の映像、又は音声の情報を利用することにより、映像・音声の空間的、又は時間的相関にかかわらず、ユーザに品質劣化による不快感を与えないエラー隠蔽をすることができる。
【図面の簡単な説明】
【００２０】
【図１】本発明の実施の形態１、２におけるデジタル放送受信機の構成図
【図２】本発明の実施の形態１、２におけるデジタル放送受信機の復号動作を説明するフローチャート
【図３】地上デジタル放送波におけるセグメントの模式図
【図４】１２セグ放送とワンセグ放送との差異を示す図
【発明を実施するための形態】
【００２１】
以下、本発明の実施の形態におけるデジタル放送受信機について、図面を参照しながら説明する。
【００２２】
（実施の形態１）
実施の形態１におけるデジタル放送受信機の構成を、図１を用いて説明する。図１におけるデジタル放送受信機１は、アンテナ１０１、番組１受信部１０２、番組１分離部１０３、番組１映像復号部１０４、番組１映像復号部内エラー検知部１０４ａ、番組１音声復号部１０５、番組１音声復号部内エラー検知部１０５ａ、番組１映像出力部１０６、番組１音声出力部１０７、番組２受信部１１２、番組２分離部１１３、番組２映像復号部１１４、番組２映像復号部内エラー検知部１１４ａ、番組２音声復号部１１５、番組２音声復号部内エラー検知部１１５ａ、番組情報比較部１２１から構成されている。
【００２３】
アンテナ１０１は、空間の電波の一種であるデジタル放送波を受信し、番組１受信部１０２、及び番組２受信部１１２に出力する。番組１受信部１０２は、アンテナ１０１が出力した信号の周波数を変換し所定のバンド幅で選択的に増幅し、さらにその信号を復調してデータ列化したデジタル信号ＴＳ（Ｔｒａｎｓｐｏｒｔ  Ｓｔｒｅａｍ）を出力する。ＴＳは、番組情報、映像信号、音声信号、データ放送用データなど、複数のメディアがパケット多重された形式となっている。
【００２４】
番組２受信部１１２は、アンテナ１０１が出力した信号の周波数を変換し所定のバンド幅で選択的に増幅し、さらにその信号を復調してデータ列化したデジタル信号ＴＳを出力する。番組１受信部１０２と、番組２受信部１１２とは、受信する周波数が異なる。番組情報比較部１２１は、番組１受信部１０２と、番組２受信部１１２とで、番組のコンテンツ内容を比較し、同一かどうかを判定する。
【００２５】
番組１分離部１０３は、番組１受信部１０２によって復調されたＴＳから番組制御情報であるＰＡＴ（Ｐｒｏｇｒａｍ  Ａｓｓｏｃｉａｔｉｏｎ  Ｔａｂｌｅ）やＰＭＴ（Ｐｒｏｇｒａｍ  Ｍａｐ  Ｔａｂｌｅ）などを復号し、その情報を基に映像、音声などのメディア種別ごとにパケットを分離し、それぞれのメディアに該当する処理部への受け渡しを行う。番組２分離部１１３は、番組２受信部１１２によって復調されたＴＳから番組制御情報であるＰＡＴやＰＭＴなどを復号し、その情報を基に映像、音声などのメディア種別ごとにパケットを分離し、それぞれのメディアに該当する処理部への受け渡しを行う。
【００２６】
番組１映像復号部１０４は、番組１分離部１０３から出力された映像パケットに格納されている圧縮映像信号を復号し映像信号を出力する。番組１映像復号部内エラー検知部１０４ａは、番組１映像復号部にてエラーを検知し、番組２映像復号部１１４に伝達する。番組２映像復号部１１４は、番組２分離部１１３から出力された映像パケットに格納されている圧縮映像信号を復号する。
【００２７】
また、番組１映像復号部内エラー検知部１０４ａからエラーを伝達された場合は、番組情報比較部１２１の結果を確認し、番組１と番組２のコンテンツ内容が同一であれば、対応する映像制御情報である動きベクトルや量子化パラメータなどを番組１映像復号部１０４に伝達する。
【００２８】
このとき、番組１と番組２との映像解像度、フレームレートなどの差異を考慮し、映像制御情報を変換してもよい。例えば、番組１を１２セグ放送、番組２をワンセグ放送としたとき、図４に示すように、１２セグ放送とワンセグ放送とでは映像解像度、フレームレートなどが異なる。１２セグ放送の動きベクトルを（Ａ，Ｂ）、ワンセグの動きベクトルを（ａ，ｂ）とすると、Ａ、Ｂはそれぞれ以下の式により得ることが出来る。
【００２９】
Ａ＝ａ×（１０８０／２４０）×（１５／３０）
Ｂ＝ｂ×（１９２０／３２０）×（１５／３０）
このように、エラー隠蔽は最小ではブロック単位で行うことができるため急激な品質劣化を防ぐことができる。また、制御情報を修正するため、エラー検知後のフレームに影響を与えない。番組１映像復号部１０４は、エラーが検知された映像制御情報の代わりに、番組２映像復号部１１４から伝達された映像制御情報を用いて圧縮映像信号を復号する。
【００３０】
番組２映像復号部内エラー検知部１１４ａは、番組２映像復号部にてエラーを検知する。前記対応する映像制御情報にてエラーを検知した場合は、番組１映像復号部１０４に伝達しなくてもよい。
【００３１】
番組１音声復号部１０５は、番組１分離部１０３から出力された音声パケットに格納されている圧縮音声信号を復号し音声信号を出力する。また、番組１音声復号部内エラー検知部１０５ａからエラーを伝達された場合は、番組情報比較部１２１の結果を確認し、番組１と番組２の内容が同一であれば、対応する音声制御情報であるサンプリング周波数や量子化ビット数などを番組１音声復号部１０５に伝達する。
【００３２】
このとき、番組１と番組２との音声チャンネル数などの差異を考慮し、音声制御情報を変換してもよい。
【００３３】
番組１音声復号部１０５は、エラーが検知された音声制御情報の代わりに、番組２音声復号部１１５から伝達された音声制御情報を用いて圧縮音声信号を復号する。番組２音声復号部内エラー検知部１１５ａは、番組２音声復号部にてエラーを検知する。前記対応する音声制御情報にてエラーを検知した場合は、番組１音声復号部１０５に伝達しなくてもよい。
【００３４】
番組１映像出力部１０６は、番組１映像復号部１０４から出力された映像信号をディスプレイなどに出力する。番組１音声出力部１０７は、番組１音声復号部１０５から出力された音声信号をスピーカなどに出力する。
【００３５】
本発明の手順を図２に示すフローチャートを用いて説明する。
【００３６】
まず、アンテナ１０１は、デジタル放送波を受信し、番組１受信部１０２、及び番組２受信部１１２は、アンテナ１０１が出力した信号の周波数を変換し所定のバンド幅で選択的に増幅し、さらにその信号を復調してデータ列化したデジタル信号ＴＳを出力する（ステップＳ２０１）。
【００３７】
番組１分離部１０３は、番組１受信部１０２によって復調されたＴＳから番組制御情報であるＰＡＴやＰＭＴなどを復号する。番組２分離部１１３は、番組２受信部１１２によって復調されたＴＳから番組制御情報であるＰＡＴやＰＭＴなどを復号する（ステップＳ２０２）。
【００３８】
このとき、番組１分離部１０３にて映像パケットならば番組１映像復号部１０４へ、音声パケットならば番組１音声復号部１０５へ出力する。番組２分離部１１３にて映像パケットならば番組２映像復号部１１４へ、音声パケットならば番組２音声復号部１１５へ出力する（ステップＳ２０３）。
【００３９】
番組１映像復号部１０４は、番組１分離部１０３から出力された映像パケットに格納されている圧縮映像信号を復号する。番組２映像復号部１１４は、番組２分離部１１３から出力された映像パケットに格納されている圧縮映像信号を復号する（ステップＳ２０４）。
【００４０】
番組１映像復号部内エラー検知部１０４ａは、番組１映像復号部にてエラーを検知したか判定する（ステップＳ２０５）。
【００４１】
番組１映像復号部内エラー検知部１０４ａにてエラーを検知した場合、番組情報比較部１２１にて、番組１と、番組２とで、番組のコンテンツ内容を比較し、同一かどうかを判定する（ステップＳ２０６）。
【００４２】
番組情報比較部１２１にて、番組１と、番組２とで、番組のコンテンツ内容が同一だと判定された場合、番組１映像復号部でエラーが検知された箇所に対応する映像制御情報を番組２映像復号部から番組１映像復号部に伝達する。番組１映像復号部１０４は、エラーが検知された映像制御情報の代わりに、番組２映像復号部１１４から伝達された映像制御情報を用いて圧縮映像信号を復号する（ステップＳ２０７）。
【００４３】
番組情報比較部１２１にて、番組１と、番組２とで、番組のコンテンツ内容が同一だと判定されなかった場合、従来の方法でエラー隠蔽を行う（ステップＳ２０８）。
【００４４】
番組１映像出力部１０６は、番組１映像復号部１０４から出力された映像信号をディスプレイなどに出力する（ステップＳ２０９）。
【００４５】
番組１音声復号部１０５は、番組１分離部１０３から出力された音声パケットに格納されている圧縮音声信号を復号する。番組２音声復号部１１５は、番組２分離部１１３から出力された音声パケットに格納されている圧縮音声信号を復号する（ステップＳ２１４）。
【００４６】
番組１音声復号部内エラー検知部１０５ａは、番組１音声復号部にてエラーを検知したか判定する（ステップＳ２１５）。番組１音声復号部内エラー検知部１１５ａにてエラーを検知した場合、番組情報比較部１２１にて、番組１と、番組２とで、番組のコンテンツ内容を比較し、同一かどうかを判定する（ステップＳ２１６）。
【００４７】
番組情報比較部１２１にて、番組１と、番組２とで、番組のコンテンツ内容が同一だと判定された場合、番組１音声復号部でエラーが検知された箇所に対応する音声制御情報を番組２音声復号部から番組１音声復号部に伝達する。番組１音声復号部１０５は、エラーが検知された音声制御情報の代わりに、番組２音声復号部１１５から伝達された音声制御情報を用いて圧縮音声信号を復号する（ステップＳ２１７）。
【００４８】
番組情報比較部１２１にて、番組１と、番組２とで、番組のコンテンツ内容が同一だと判定されなかった場合、従来の方法でエラー隠蔽を行う（ステップＳ２１８）。
【００４９】
番組１音声出力部１０７は、番組１音声復号部１０５から出力された音声信号をスピーカなどに出力する（ステップＳ２１９）。
【００５０】
以上、図２のフローチャートに示した手法により、一連の手順において少なくとも２つの同一コンテンツ内容の番組を受信、復号し、一方の制御情報を他方の制御情報で代替することにより、映像・音声の空間的、又は時間的相関にかかわらずエラー隠蔽できるという利点がある。また、エラー隠蔽は最小ではブロック単位で行うことができるため急激な品質劣化を防ぐことができるという利点がある。さらに、エラー隠蔽に制御情報を用いるため、エラー検知後のフレームに影響を与えない。
【００５１】
（実施の形態２）
実施の形態２におけるデジタル放送受信機の構成は、実施の形態１で説明に使用した図１と同じなので省略する。
【００５２】
実施の形態２では、実施の形態１とは番組１映像復号部１０４と番組２映像復号部１１４とで受け渡しする情報が異なる。実施の形態２では、映像制御情報、又は音声制御情報ではなく、復号後の映像信号である画素値、又は音声信号であるＰＣＭデータを用いてエラー隠蔽を行う。
【００５３】
このとき、番組１と番組２との映像解像度、フレームレート、音声チャンネル数などの差異を考慮し、映像信号、又は音声信号を変換してもよい。
【００５４】
エラー隠蔽は最小ではブロック単位で行うことができるため急激な品質劣化を防ぐことができる。また、復号後の出力である映像信号、又は音声信号を修正するため、映像復号部、又は音声復号部の実装が容易であり、エラー隠蔽処理による復号時間の遅延を防ぐことができる。
【００５５】
実施の形態２における手順は、実施の形態１で説明に使用した図２と同じなので省略する。
【００５６】
実施の形態２では、ステップＳ２０７、及びステップＳ２１７で用いる情報が異なる。実施の形態２では、映像制御情報、又は音声制御情報ではなく、復号後の映像信号、又は音声信号を用いてエラー隠蔽を行う。
【００５７】
このように動作することにより、映像復号部、又は音声復号部のエラー隠蔽処理のための実装が容易となる。また、エラー隠蔽処理による復号時間の遅延を防ぐことができる。
【産業上の利用可能性】
【００５８】
この発明によれば、少なくとも２つの同一コンテンツ内容の番組を受信、復号し、一方の映像、又は音声のエラー検知時に他方の映像、又は音声の情報を利用することにより、映像・音声の空間的、又は時間的相関にかかわらず、急激な品質劣化を抑えたエラー隠蔽をすることができる。結果として、ユーザのストレスを軽減し、製品の付加価値を高めることができる。
【符号の説明】
【００５９】
１    デジタル放送受信機
１０１    アンテナ
１０２    番組１受信部
１０３    番組１分離部
１０４    番組１映像復号部
１０４ａ    番組１映像復号部内エラー検知部
１０５    番組１音声復号部
１０５ａ    番組１音声復号部内エラー検知部
１０６    番組１映像出力部
１０７    番組１音声出力部
１１２    番組２受信部
１１３    番組２分離部
１１４    番組２映像復号部
１１４ａ    番組２映像復号部内エラー検知部
１１５    番組２音声復号部
１１５ａ    番組２音声復号部内エラー検知部
１２１    番組情報比較部
【図１】
2011239051.tif 000003
【図２】
2011239051.tif 000004
【図３】
2011239051.tif 000005
【図４】
2011239051.tif 000006